(57)【要約】      （修正有）【課題】手作業による草取りを軽減でき、効率よく作業ができる草取りシャベルを提供する。【解決手段】四角い堅く丈夫な金属の板の四つの辺の三辺を曲げて、曲げた三辺の真中の辺の中心の位置に柄４を付け、柄４の最上部に握り手５を付けて角スコップ状にして、曲げてない辺の刃先１にあたる部分を草を切るに適した程度に削って切刃をつけることで、草の生える地面に平たく置き少量の土をすくいながらも滑らす如く前に押し出す事で、草を根元から切り倒し多くの雑草を簡単に取り除くことが出来る。【選択図】図１
0003195530.tif 000002
【実用新案登録請求の範囲】
【請求項１】
四角い堅く丈夫な金属の板の四つの辺の三辺を曲げて、曲げた三辺の真中の辺の中心の位置に柄を付け、柄の最上部に握り手を付けて角スコップ、角シャベル状にして、板の中部分、さじ部にあたる土の乗る部分を地表に平らに着けれるように平行にして、曲げてない辺、刃先にあたる部分を草を切るに適した程度の切刃をつけて刃先と側面を直角にしたことを特徴とし、柄と握り手を持ち雑草の手前に刃先を置いて滑らすように前に押し出すことで、少量の土をすくいつつ雑草を根元から切り取ることが出来、コンクリートなど堅い地表の継ぎ目や割れ目に生える雑草も切り取る事が出来る、車止めや車道と歩道の段差部分のきわに生える雑草も、段差の壁に側面をあてて雑草の手前に刃先を置き、地表を滑らすように押し出すことで簡単に取ることができる事を特徴とする、草取りシャベル。
【請求項２】
請求項１の少量の土をすくいつつ雑草を根元から切り取った際の、すくった土を落すため、刃先より数センチを残して柄の方向に巾１センチ程度の細長い切り込み穴を複数入れることで土を落とし切り取った雑草を残して、処理をしやすくする草取りシャベル。
【考案の詳細な説明】
【技術分野】
【０００１】  本考案は、四角い堅く丈夫な金属の板の四つの辺の三辺を曲げて、曲げた三辺の真中の辺の中心の位置に柄を付け、柄の最上部に握り手を付けて角スコップ、角シャベル状にして、板の中部分、さじ部にあたる土の乗る部分を地表に平らに着けれるように平行にし、曲げてない辺の刃先にあたる部分を草を切るに適した程度に削って切刃をつけて、刃先の辺と側面を直角にしたもので、草の生える地表に平たく置き少量の土をすくいながら滑らすように前に押し出す事で、草を根元から切り倒し多くの雑草を簡単に取り除くことが出来る、またコンクリートなど堅い地表の継ぎ目やひび割れなどに生える雑草も、本考案を地表に置き雑草に向けて滑らすように押し出すことで、簡単に根元より切り取ることが出来る、さらに車止めのきわや車道と歩道の段差の根元部分に生える雑草も、本考案の側面を段差の横にすえて雑草の手前に刃先を着け、刃先を前に滑らすように押し出すことで簡単に根元より切り取るができる。
【背景技術】
【０００２】
【特許文献】
【０００３】
【非特許文献】
【０００４】
【考案の概要】
【０００５】
【考案が解決しようする課題】
【０００６】  広範囲に生息する成長した雑草を刈るには草刈り機が適しているが、コンクリートなど堅い地表の継ぎ目や割れ目などに生える雑草、又車止めや道路と歩道の段差のきわなどに生える雑草は取りづらく、他の目的で作られた小道具を利用するか手で取るしかなく、家回りや庭の草取りをするにも大変な作業であった。
【課題を解決するための手段】
【０００７】  四角い堅く丈夫な金属の板の四つの辺の三辺を曲げて、曲げた三辺の真中の辺の中心の位置に柄を付け、柄の最上部に握り手を付けて角スコップ、角シャベル状にして、曲げてない辺の刃先にあたる部分を草を切るに適した程度に削って切刃をつけることで、草の生える地面に平たく置き少量の土をすくいながら滑らす如く前に押し出す事で、草を根元から切り倒し多くの雑草を簡単に取り除くことが出来る、板の中部分、さじ部にあたる土の乗る部分を地表に平らに着けれるように平行にすることで、コンクリートなど堅い地表の継ぎ目やひび割れなどに生える雑草も、本考案を地表に置き雑草に向けて滑らすように押し出す事で簡単に根元より切り取ることが出来る、刃先の辺と側面を直角にすることで、車止めのきわや車道と歩道の段差の根元部分に生える雑草も、本考案の側面を段差の横にすえ雑草の手前に刃先を着けて刃先を前に滑らすように押し出す事で、簡単に根元より切り取るができる。
【考案の効果】
【０００８】  本考案を使用する事により、手作業による草取りを軽減でき効率よく作業が出来るようになる、本考案の、柄並びに持ち手を持ち雑草の手前に本考案の刃先を置いて、少量の土をすくいながら滑らすように前方に押し出すことで雑草を根元より切り取ることが出来る、コンクリート等堅い地表の継ぎ目や割れ目に生える雑草も、本考案の刃先を雑草の手前に置いて平たい部分を地表に平行に置き、前方に滑らすように押し出す事で草を根元から切り取ることが出来る、又車止めのきわや車道と歩道の段差の根元に生える雑草も、本考案の側面を段差部分の横にすえ、刃先を雑草の手前の地表に着けたまま滑らすように押し出すことで、根元から切り取ることが出来る。
【図面の簡単な説明】
【０００９】
【図１】  １  実施例を示した草取りシャベルの「等角図」  ２  土落としを付けた草取りシャベルの「等角図」
【実施例１】
【０００１０】  本考案の実施例を「図１」の１草取りシャベルの「等角図」に基づいて説明する。
堅く丈夫な金属の板の３辺を曲げて柄と握り手を付け、角スコップ、角シャベルの形にして、角スコップの２さじ部の先、土をすくう刃にあたる部分の１刃先を草を切るに適した程度に削って切刃を付けることで、土壌に生える雑草も４柄部５握り手を持ち雑草の手前にあて前に滑らすように押し出す事で、少量の土をすくいながも雑草を根元より切り取る事が出来る、２さじ部の底の部分を地表と平らに着けれるように平行にすることで、コンクリートなど堅い地表の継ぎ目や割れ目に生える雑草も２さじ部の裏を地表に着け、１刃先を雑草に向けて前に滑らすように押し出す事で切り取る事が出来る、１刃先と３側面を直角にすることで、車止めや車道と歩道の段差の根元に生える雑草も３側面を段の横にすえ刃先を雑草の手前の地表に着けて、４柄部と５握り手を持ち滑らすように前に押し出す事で根元から切取ることができる。
【実施例２】
【０００１１】  〔図１〕  ２  土落としを付けた草取りシャベルの「等角図」に基づいて説明する。
刃先より数センチを残して柄の方向に巾１センチ程度の細長い切り込み穴を複数入れた６土落としをつけて、４柄並びに５持ち手を持ち雑草の手前に１刃先を置いて、少量の土をすくいながら滑らすように前方に押し出すことで雑草を根元より切り取ることが出来る、その際２さじ部に雑草と共にすくい取った土を６土落としで振るい落として、切り取った雑草を残して始末することが出来る。
【産業上の利用可能性】
【００１２】  本考案を使用する事により、手作業による草取りの労働力を軽減でき効率よく草取り作業が出来るようになる、舗装と側溝の間に生える雑草、コンクリートのヒビや隙間に生える雑草、車止めや車道と歩道の間の段差部分に生える雑草などいづれも取りづらく、大変な作業であるが本考案を利用する事で簡単に取り除くことが出来る。
【符号の説明】
【００１５】    １．刃先                      ２．さじ部
３．側面                      ４．柄部
５．握り手                    ６．土落とし
【図１】
0003195530.tif 000003
【手続補正書】
【提出日】平成26年11月4日(2014.11.4)
【手続補正１】
【補正対象書類名】実用新案登録請求の範囲
【補正対象項目名】全文
【補正方法】変更
【補正の内容】
【実用新案登録請求の範囲】
【請求項１】
四角い堅く丈夫な金属の板の四つの辺の三辺を曲げて、曲げた三辺の真中の辺の中心の位置に柄を付け、柄の最上部に握り手を付けて角スコップ、角シャベル状にして、板の中部分、さじ部にあたる土の乗る部分を地表に平らに着けれるように平行にして、曲げてない辺、刃先にあたる部分を草を切るに適した程度の切刃をつけて刃先と側面を直角にしたことを特徴とし、柄と握り手を持ち雑草の手前に刃先を置いて滑らすように前に押し出すことで、少量の土をすくいつつ雑草を根元から切り取ることが出来、コンクリートなど堅い地表の継ぎ目や割れ目に生える雑草も切り取る事が出来る、車止めや車道と歩道の段差部分のきわに生える雑草も、段差の壁に側面をあてて雑草の手前に刃先を置き、地表を滑らすように押し出すことで簡単に取ることができる事を特徴とする、草取りシャベル。
【請求項２】
前記少量の土をすくいつつ雑草を根元から切り取った際にすくった土を落すため、刃先より数センチを残して、柄の方向に巾１センチ程度の細長い切り込み穴を複数入れることで土を落とし切り取った雑草を残して、処理をしやすくする請求項１記載の草取りシャベル。